(57)【要約】      （修正有）【課題】基地局による周辺セル情報の取得を支援する。【解決手段】移動機が在圏基地局に代わって、周辺セル情報を取得することにより、在圏基地局による周辺セル情報の取得を支援する。基地局は、周辺基地局から報知されている周辺セル情報を自局に代わって取得するための指示を自局に在圏している移動機に送信し（ステップ２０１）、指示に応答して移動機から送信される周辺セル情報を受信し（ステップ２０３）、受信した周辺セル情報を移動機に報知する（ステップ２０４）。【選択図】図２
2014107666.tif 000002
【特許請求の範囲】
【請求項１】
周辺基地局から報知されている周辺セル情報を自局に代わって取得するための指示を自局に在圏している移動機に送信する送信手段と、
前記指示に応答して前記移動機から送信される前記周辺セル情報を受信する受信手段と、
前記受信した周辺セル情報を前記移動機に報知する報知手段と、
を備える基地局。
【請求項２】
請求項１に記載の基地局であって、
前記指示は、自局のセルの通信品質が所定の閾値を下回ったことを契機に前記周辺セル情報を取得するための指示である、基地局。
【請求項３】
請求項２に記載の基地局であって、
前記所定の閾値は、自局のセルエッジ付近の通信品質である、基地局。
【請求項４】
請求項１乃至請求項３のうち何れか１項に記載の基地局であって、
前記基地局は、フェムトセル基地局である、基地局。
【請求項５】
周辺セル情報を在圏基地局に代わって取得するための指示を前記在圏基地局から受信する受信手段と、
前記指示に応答して前記周辺セル情報を取得する取得手段と、
前記取得した周辺セル情報を前記在圏基地局に送信する送信手段と、
を備える移動機。
【請求項６】
周辺基地局から報知されている周辺セル情報を自局に代わって取得するための指示を自局に在圏している移動機に送信するステップと、
前記指示に応答して前記移動機から送信される前記周辺セル情報を受信するステップと、
前記受信した周辺セル情報を前記移動機に報知するステップと、
を備える報知方法。
【請求項７】
請求項６に記載の報知方法を基地局に実行させるためのコンピュータプログラム。
【請求項８】
周辺セル情報を在圏基地局に代わって取得するための指示を前記在圏基地局から受信するステップと、
前記指示に応答して前記周辺セル情報を取得するステップと、
前記取得した周辺セル情報を前記在圏基地局に送信するステップと、
を備える周辺セル情報取得方法。
【請求項９】
請求項８に記載の周辺セル情報取得方法を移動機局に実行させるためのコンピュータプログラム。
【発明の詳細な説明】
【技術分野】
【０００１】
本発明は基地局による周辺セル情報の取得を支援するための技術に係わる。
【背景技術】
【０００２】
多数のセルを用いてサービスエリアをカバーするセルラ方式では、移動機のリセレクション（位置登録更新）やハンドオーバーに必要な周辺セル情報がブロードキャストチャネルを通じて基地局から報知されている。周辺セル情報には、その基地局の周辺に位置する基地局のセルの拡散コード、基地局送信周波数、プライオリティ、及び無線方式種別が含まれる。基地局は、周辺基地局より周辺セル情報を受信すると、リセレクション用又はハンドオーバー用の候補リストを作成し、これを自局に在圏している移動機に報知する。移動機は基地局から受信した候補リストに基づいて、現在接続しているセルよりも通信品質の良いセルを新たに検出すると、新たに検出されたセルにリセレクション又はハンドオーバーする。周辺セル情報を用いたリセレクション又はハンドオーバーについては、特開２０１１−２５９１９４号において言及されている。
【先行技術文献】
【特許文献】
【０００３】
【特許文献１】特開２０１１−２５９１９４号
【発明の概要】
【発明が解決しようとする課題】
【０００４】
しかし、自局のセル範囲が広い場合や、自局とその周辺基地局との間に電波遮蔽物がある場合には、周辺基地局から報知される周辺セル情報が自局まで到達しないことがある。例えば、移動機のハンドオーバーやリセレクションが必要となるセルエッジ付近には、周辺セル情報が到達しているにも関わらず、基地局には到達していないことがあり得る。このような場合、基地局は、接続先候補としての周辺基地局の全てを必ずしも移動機に報知することができない。
【０００５】
そこで、本発明は、基地局による周辺セル情報の取得を支援することを課題とする。
【課題を解決するための手段】
【０００６】
上記の課題を解決するため、本発明に係わる基地局は、周辺基地局から報知されている周辺セル情報を自局に代わって取得するための指示を自局に在圏している移動機に送信する送信手段と、当該指示に応答して移動機から送信される周辺セル情報を受信する受信手段と、受信した周辺セル情報を移動機に報知する報知手段とを備える。移動機が在圏基地局に代わって周辺セル情報を取得し、これを在圏基地局に送信することにより、在圏基地局による周辺セル情報の取得を支援することができる。
【発明の効果】
【０００７】
本発明によれば、移動機が在圏基地局に代わって、周辺セル情報を取得することにより、在圏基地局による周辺セル情報の取得を支援することができる。
【図面の簡単な説明】
【０００８】
【図１】本実施形態に係わる移動通信システムの構成を示す機能ブロック図である。
【図２】本実施形態に係わる周辺セル情報の取得の手順の一例を示すタイミングチャートである。
【発明を実施するための形態】
【０００９】
以下、各図を参照しながら本発明の実施形態について説明する。
図１は本実施形態に係わる移動通信システムの構成を示す機能ブロック図である。セルラ方式では、移動機３０に通信サービスを提供するサービスエリアは、多数のセルによって形成される。ここでは、説明の便宜上、隣接する二つのセル１００，２００を例示している。セル１００，２００は、それぞれ、基地局１０，２０の送信電波の届くカバレッジエリアであり、そのセル範囲によって、マクロセル、ピコセル、フェムトセルと呼ばれるが、セル範囲は特に限定されない。
【００１０】
基地局１０は、移動機３０と無線通信するための無線通信部１１及び制御部１２を備える。無線通信部１１は、所定の通信方式（例えば、ＬＴＥ方式、Ｗ−ＣＤＭＡ方式）で無線通信を行うための高周波回路及びベースバンド回路を含む回路基板から構成されており、周辺セル情報をサーチ及び受信する機能を有している。制御部１２は、ＣＰＵ及びメモリ等の回路チップから構成されており、後述する周辺セル情報取得方法を基地局１０に実行させるためのコンピュータプログラムが格納されている。移動機３０は、例えば、スマートフォン等の高機能携帯電話装置、パーソナルデジタルアシスタント、携帯用パーソナルコンピュータ等であり、基地局１０と無線通信するための無線通信部３１及び制御部３２を備える。無線通信部３１は、所定の通信方式（例えば、ＬＴＥ方式、Ｗ−ＣＤＭＡ方式）で無線通信を行うための高周波回路及びベースバンド回路を含む回路基板から構成されており、周辺セル情報をサーチ及び受信する機能を有している。制御部３２は、ＣＰＵ及びメモリ等の回路チップから構成されており、後述する周辺セル情報取得方法を移動機３０に実行させるためのコンピュータプログラムが格納されている。
【００１１】
同図に示す例では、基地局１０の周辺に位置する周辺基地局２０からは、周辺セル情報がブロードキャストチャネルを通じて報知されているが、例えば、電波遮蔽物等の存在により、周辺セル情報が基地局１０に到達できない場合を想定している。このような環境下において、セル１００に在圏している移動機３０の位置によっては、基地局２０からの周辺セル情報を移動機３０が取得できる場合もあり得る。例えば、基地局１０に近い位置に移動機３０が所在している場合には、基地局１０と同様に移動機３０は、基地局２０からの周辺セル情報を取得できないが、基地局２０に近いセルエッジ１０１付近に移動機３０が所在している場合には、移動機３０は基地局２０からの周辺セル情報を取得できる場合がある。
【００１２】
基地局１０の無線通信部１１は、周辺基地局２０から報知される周辺セル情報をサーチ及び受信する機能を有している。ところが、同図に示す例のように、報知情報が基地局１０まで到達できない場合には、基地局１０の無線通信部１１は、周辺基地局２０から報知されている周辺セル情報を自局に代わって取得するための指示を自局に在圏している移動機３０に送信する。基地局１０から移動機３０に指示を送信する契機（タイミング）は、特に限定されるものではないが、例えば、移動機３０がセル１００内に在圏した契機で指示を送信してもよく、或いは、移動機３０からのアップリンク信号の強度が所定の閾値（例えば、移動機３０がセルエッジ１０１付近に位置しているときに基地局１０が検出するアップリンク信号強度）を下回った契機で指示を送信してもよい。但し、移動機３０がセル１００内に在圏した契機で基地局１０から指示を送信する場合は、移動機３０が指示を受信した契機で周辺セル情報を取得するように指示するのではなく、セル１００の通信品質が所定の閾値（例えば、移動機３０がセルエッジ１０１付近に位置しているときの通信品質）を下回ったことを契機に周辺セル情報を取得するように指示するのが望ましい。移動機３０のハンドオーバーやリセレクションが必要となるセルエッジ１０１付近では、基地局１０まで到達しない周辺セル情報を取得することができる場合があるため、セルエッジ１０１付近で周辺セル情報を取得することが効果的である。セル１００の通信品質は、例えば、希望波受信電力、希望波１チップ当たりのエネルギー対帯域内受信電力密度比、希望波受信電力対干渉波電力比等を指標にすればよい。
【００１３】
移動機３０は指示に応答して周辺セル情報を取得し、これを基地局１０に送信する。基地局１０は移動機３０から受信した周辺セル情報を移動機３０に報知する。ここで、移動機３０に報知される周辺セル情報は、基地局１０からの指示に応答して移動機３０が取得したものに限られず、基地局１０自身が受信した他の基地局（基地局２０以外の基地局）の周辺セル情報が含まれていてもよく、また、移動機３０のリセレクション用又はハンドオーバー用の候補リストとしてリスト化されていてもよい。
【００１４】
次に、図２を参照しながら周辺セル情報の取得の手順の一例について説明する。基地局１０の無線通信部１１は、周辺基地局２０から報知されている周辺セル情報を自局に代わって取得するための指示を自局に在圏している移動機３０に送信する（ステップ２０１）。無線通信部１１は、周辺基地局２０から報知されている周辺セル情報を自局１０に代わって取得するための指示を移動機３０に送信する送信手段として機能する。一方、移動機３０の無線通信部３１は、周辺セル情報を在圏基地局１０に代わって取得するための指示を在圏基地局１０から受信する受信手段として機能する。
【００１５】
移動機３０の無線通信部３１は、セル１００の通信品質が所定の閾値を下回ると（ステップ２０２）、基地局２０からの周辺セル情報を取得し、これを基地局１０に送信する（ステップ２０３）。移動機３０の無線通信部３１は、指示に応答して周辺セル情報を取得する取得手段、及び取得した周辺セル情報を在圏基地局１０に送信する送信手段として機能する。一方、基地局１０の無線通信部１１は、指示に応答して移動機３０から送信される周辺セル情報を受信する受信手段として機能する。
【００１６】
基地局１０の無線通信部１１は、移動機３０から受信した周辺セル情報をブロードキャストチャネルを通じて移動機３０に報知する（ステップ２０４）。基地局１０の無線通信部１１は、移動機３０から受信した周辺セル情報を移動機３０に報知する報知手段として機能する。
【００１７】
本実施形態によれば、移動機３０が基地局１０に代わって周辺基地局２０からの周辺セル情報を取得し、これを基地局１０に送信することにより、基地局１０による周辺セル情報の取得を支援することができる。
【００１８】
なお、基地局１０は、フェムトセル基地局でもよい。可搬性を有するフェムトセル基地局は、電波受信環境のよくない屋内や地下等に設置されることが想定されるため、本実施形態に係わる方法で周辺基地局情報を取得する利点が大きい。
【符号の説明】
【００１９】
１０…基地局
１１…無線通信部
１２…制御部
２０…基地局
３０…移動機
３１…無線通信部
３２…制御部
１００，２００…セル
１０１…セルエッジ
【図１】
2014107666.tif 000003
【図２】
2014107666.tif 000004